(57)【要約】【課題】排紙口付近に紙送り機構がなくても記録用紙をスタッカに堆積することができ、記録用紙の寸法が変わっても堆積順が変わったり記録用紙の端部同士が引っかかって折れたりするなどの堆積不良状態が発生しにくいプリンタを提供すること。【解決手段】ロール紙プリンタ１のスタッカ２０は排紙口１２の下方に取り付けられ、その先端が斜め下を向くように傾いている。スタッカ２０は、排出トレー３０の先端側に延長トレー４０を引き出し可能に取り付け、延長トレー４０の先端にストッパ４２を設けた構成である。排出トレー３０における記録用紙２の堆積面には、排出トレー３０における記録用紙２の落下位置よりも排紙口１２寄りに位置する位置合わせ溝３８が形成されている。また、排出トレー３０における記録用紙の堆積面には、堆積面から起こせばストッパとして機能するサポート板３７が取り付けられる。【選択図】図１
2009190801.tif 000002
【特許請求の範囲】
【請求項１】
記録用紙を排出する排紙口が形成された装置本体と、
前記装置本体における前記排紙口に取り付けたスタッカとを有し、
前記スタッカは、
前記排紙口から排出された記録用紙を受け入れる堆積部と、
前記堆積部に受け入れた記録用紙の排出方向の先端位置を規定するストッパと、
前記堆積部に受け入れた記録用紙の排出方向の所定位置を示す位置合わせ用の指標部とを備えており、
前記堆積部は記録用紙の排出方向に向けて傾斜しており、
前記ストッパは、前記堆積部に受け入れた記録用紙の排出方向の前方側または後方側に移動可能であることを特徴とするプリンタ。
【請求項２】
請求項１に記載のプリンタにおいて、
前記指標部は、前記堆積部の表面に形成された位置合わせ溝であり、
当該位置合わせ溝は、前記堆積部における前記排紙口寄りの部位において、前記排出方向に直交する方向に延びていることを特徴とするプリンタ。
【請求項３】
請求項１または２に記載のプリンタにおいて、
前記スタッカは、
前記装置本体に取り外し可能に取り付けられているスタッカ本体と、
前記スタッカ本体にスライド可能に取り付けられているスライド式スタッカとを備えており、
前記スタッカ本体は前記指標部を備えており、
前記スライド式スタッカは、前記スタッカ本体から引き出し可能であり、その引出し方向の先端部に前記ストッパを備えていることを特徴とするプリンタ。
【請求項４】
請求項３に記載のプリンタにおいて、
前記スライド式スタッカが前記引出し方向に移動しないようにロックするためのロック機構を備えていることを特徴とするプリンタ。
【請求項５】
請求項１ないし４のいずれかの項に記載のプリンタにおいて、
前記堆積部は、前記ストッパと前記堆積部における前記排出口近傍の部位との間に設けられた補助ストッパ取付部を備えており、
当該補助ストッパ取付部には補助ストッパを取り付け可能であり、
当該補助ストッパは、前記堆積部に受け入れた記録用紙の排出方向の先端位置を規定可能な第１状態、および、前記堆積部に受け入れた記録用紙に干渉しない第２状態に切り替え可能であることを特徴とするプリンタ。
【請求項６】
請求項５に記載のプリンタにおいて、
前記補助ストッパは、前記堆積部の表面から起立した前記第１状態、および、当該堆積部の表面に形成された凹部内に倒れた前記第２状態に切り替え可能な旋回板であることを特徴とするプリンタ。
【請求項７】
請求項１ないし６のいずれかの項に記載のプリンタにおいて、
前記装置本体は、前記排紙口、および、前記装置本体における記録用紙の収納部を開閉するための開口が設けられている前面を備えており、
前記装置本体には前記開口を開閉するための開閉部材が取り付けられており、
前記開閉部材に前記スタッカが取り付けられていることを特徴とするプリンタ。
【発明の詳細な説明】
【技術分野】
【０００１】
本発明は、記録用紙を排出順にスタックするためのスタッカを有し、記録用紙の寸法および排出位置に合わせてスタッカの寸法を調整可能なプリンタに関する。
【背景技術】
【０００２】
従来から、プリンタの排紙口付近にスタッカを設けて、排出される記録用紙を順次スタックできるようにしたものが知られている。特許文献１には、ラベルプリンタの装置台にスタッカ部を設けてラベルプリンタに接続し、ラベル排出口から排出される印字済みのラベルをスタッカ部のカートリッジ内に集積するものが提案されている。
【特許文献１】特開２００３−１０３８６８号公報
【発明の開示】
【発明が解決しようとする課題】
【０００３】
特許文献１では、ラベルプリンタから排出されたラベルをローラで送り出してスタッカのカートリッジ内に導入しており、ラベル排出口付近に紙を送り出すための駆動機構を設けているので、構成部品が多くなってしまっていた。また、特許文献１のスタッカはカートリッジ内にラベルを落としてカートリッジの底面上にラベルを堆積させるものであるが、ラベルを同じ堆積位置に堆積させるようにするためのガイド手段などは提案されていない。従って、小さいラベルをカートリッジ内に落とした場合には、堆積順序が排出順序と入れ替わってしまったり、ラベルの端部同士が引っかかってスムーズに堆積しなかったりラベルが折れ曲がってしまうなどの堆積不良状態が発生するおそれがあった。
【０００４】
また、従来から、排紙部にスタッカを一体に形成したプリンタが提案されているが、従来のものはスタッカの紙堆積部が斜め上向きになるように設けられているため、排出される紙を上側に送り出すための駆動機構を排紙口付近に設けており、構成部品が多くなってしまっていた。
【０００５】
本発明の課題は、このような点に鑑みて、プリンタの排紙口付近にスタッカに紙送りするための駆動機構がなくても排出された記録用紙をスムーズにスタッカに集積させることができ、また、記録用紙の寸法が変わっても堆積不良状態が発生しにくいプリンタを提供することにある。
【課題を解決するための手段】
【０００６】
上記の課題を解決するために、本発明のプリンタは、
記録用紙を排出する排紙口が形成された装置本体と、
前記装置本体における前記排紙口に取り付けたスタッカとを有し、
前記スタッカは、
前記排紙口から排出された記録用紙を受け入れる堆積部と、
前記堆積部に受け入れた記録用紙の排出方向の先端位置を規定するストッパと、
前記堆積部に受け入れた記録用紙の排出方向の所定位置を示す位置合わせ用の指標部とを備えており、
前記堆積部は記録用紙の排出方向に向けて傾斜しており、
前記ストッパは、前記堆積部に受け入れた記録用紙の排出方向の前方側または後方側に移動可能であることを特徴とする。
【０００７】
このように、本発明のプリンタは、排紙口にスタッカを取り付けており、堆積部が傾斜しているので、排紙口から排出された記録用紙が、堆積部を自動的に滑り落ちてストッパで止まり、堆積部の先端側に堆積する。よって、排紙口付近に紙を送り出すための駆動手段などを設ける必要がなく、部品点数削減およびコストダウンを図ることができる。また、本発明では、記録用紙の寸法に応じてストッパを移動可能であり、且つ、位置合わせ用の指標部を備えているので、堆積部を滑り落ちてストッパで止まった記録用紙の後端位置や目印となる印刷などの所定位置が、記録用紙の寸法が変わっても一定の位置になるようにすることができる。よって、堆積不良状態が発生しにくい。
【０００８】
本発明において、前記指標部は、前記堆積部の表面に形成された位置合わせ溝であり、当該位置合わせ溝は、前記堆積部における前記排紙口寄りの部位において、前記排出方向に直交する方向に延びているとよい。このようにすると、堆積部に堆積している記録用紙の所定位置（例えば、後端位置）が、その上に落下する記録用紙の先端部分の落下位置よりも排紙口寄りになるように位置合わせすることができる。よって、前に排出された記録用紙の上に次の記録用紙を確実に落とすことができ、堆積順序が排出順序と入れ替わってしまうことがない。また、前に排出された記録用紙の後端に、次に排出された記録用紙の先端がひっかかることがないので、スタッカ内で記録用紙が折れ曲がるなどの堆積不良状態が発生しにくい。
【０００９】
本発明において、前記スタッカは、前記装置本体に取り外し可能に取り付けられているスタッカ本体と、前記スタッカ本体にスライド可能に取り付けられているスライド式スタッカとを備えており、前記スタッカ本体は前記指標部を備えており、前記スライド式スタッカは、前記スタッカ本体から引き出し可能であり、その引出し方向の先端部に前記ストッパを備えているとよい。また、本発明において、前記スライド式スタッカが前記引出し方向に移動しないようにロックするためのロック機構を備えているとよい。このようにすれば、スライド式スタッカをスタッカ本体から引き出すだけでストッパの位置を調整できる。また、不用意にストッパの位置が変わらないようにすることができる。
【００１０】
本発明において、前記堆積部は、前記ストッパと前記堆積部における前記排出口近傍の部位との間に設けられた補助ストッパ取付部を備えており、当該補助ストッパ取付部には補助ストッパを取り付け可能であり、当該補助ストッパは、前記堆積部に受け入れた記録用紙の排出方向の先端位置を規定可能な第１状態、および、前記堆積部に受け入れた記録用紙に干渉しない第２状態に切り替え可能であるとよい。具体的には、前記補助ストッパは、前記堆積部の表面から起立した前記第１状態、および、当該堆積部の表面に形成された凹部内に倒れた前記第２状態に切り替え可能な旋回板であるとよい。このようにすると、補助ストッパ（旋回板）を起こして第１状態（記録用紙の排出方向の先端位置を規定する状態）にすることができる。また、補助ストッパを倒して第２状態（記録用紙に干渉しない状態）にすることができる。よって、必要な時だけ補助ストッパによって記録用紙の先端位置を規定できる。
【００１１】
本発明において、前記装置本体は、前記排紙口、および、前記装置本体における記録用紙の収納部を開閉するための開口が設けられている前面を備えており、前記装置本体には前記開口を開閉するための開閉部材が取り付けられており、前記開閉部材に前記スタッカが取り付けられているとよい。このように、本発明は、装置本体の前面に排紙口および記録用紙の交換用の開閉部材が設けられた前開き式のプリンタに適用できる。
【発明の効果】
【００１２】
本発明のプリンタは、排紙口にスタッカを取り付けており、堆積部が傾斜しているので、排紙口から排出された記録用紙が、堆積部を自動的に滑り落ちてストッパで止まり、堆積部の先端側に堆積する。よって、排紙口付近に紙を送り出すための駆動手段などを設ける必要がなく、部品点数削減およびコストダウンを図ることができる。また、本発明では、記録用紙の寸法に応じてストッパを移動可能であり、且つ、位置合わせ用の指標部を備えているので、堆積部を滑り落ちてストッパで止まった記録用紙の後端位置や目印となる印刷などの所定位置が、記録用紙の寸法が変わっても一定の位置になるようにすることができる。よって、堆積不良状態が発生しにくい。
【発明を実施するための最良の形態】
【００１３】
以下、本発明の実施の形態について、図面を参照しながら説明する。
【００１４】
（全体構成）
図１は本実施形態のロール紙プリンタの斜視図である。ロール紙プリンタ１は、その内部にロール紙などの連続した記録用紙２を転動可能に保持しており、不図示のオートカッタにより、この記録用紙２の印刷済み部分を切断して排出する。ロール紙プリンタ１は、全体としてほぼ直方体形状をしたプリンタ本体１０（装置本体）と、プリンタ本体１０における外装ケース１１の前面部分に取り付けられたスタッカ２０を備えている。外装ケース１１におけるスタッカ２０の上部側には、ロール紙の紙幅よりも広い水平な排紙口１２が設けられており、排紙口１２の下端には排紙ガイド１３が設けられている。不図示のオートカッタは排紙口１２の内側に配置され、オートカッタで切断された印刷済みの記録用紙２は、排紙ガイド１３によってガイドされながらプリンタ本体１０の前面側に排出される。
【００１５】
外装ケース１１の前面部分には、排紙口１２の下側にロール紙交換用の矩形の開口が形成されている。この開口はロール紙カバー１４（開閉部材）によって封鎖または開放される。排紙ガイド１３はロール紙カバー１４の上端部分に取り付けられており、排紙ガイド１３のすぐ下には、プリンタ本体１０の前面側に張り出す張り出し部１６が形成されている。張り出し部１６の上面は下方に傾斜する傾斜面となっており、この傾斜面の上端部分に排紙ガイド１３の下端部分が載っている。従って、排紙口１２から排出された記録用紙２は、張り出し部１６の上面を滑ってその先端から落下し、スタッカ２０の上に落ちて堆積する。張り出し部１６の下面側には、スタッカ２０の一端（後述する腕部３５：図２参照）を回転可能に支持するための支持部が設けられている。具体的には、張り出し部１６の下面側には、腕部３５の先端に設けられた後述するヒンジピン３５ａ，３５ｂをそれぞれ回転可能に支持するためのヒンジピン受け部が形成されている。
【００１６】
外装ケース１１の前面部分における排紙ガイド１３および張り出し部１６の隣には、ロール紙カバー１４を開閉するためのレバー１５が設けられている。ロール紙カバー１４は、その下端側の所定部分を中心として回転可能に支持されており、ロール紙交換用の開口を閉鎖しているときは起立状態になっている。ロール紙交換用の開口を開ける場合には、レバー１５を操作してロール紙カバー１４のロックを解除し、ロール紙カバー１４の上端側を手前側に引き出してロール紙カバー１４全体を手前側に傾ける。これにより、排紙ガイド１３およびプリンタ内部におけるプラテンなどの印刷機構がロール紙カバー１４と一体になって手前側に移動し、ロール紙収納空間から排紙口１２に至る部分が開放状態になる。よって、ロール紙プリンタ１の前面側からロール紙の交換作業などを簡単に行うことができるようになる。
【００１７】
（スタッカの構成）
図２はスタッカ２０の斜視図である。スタッカ２０は、全体として矩形のトレー状であり、張り出し部１６の下側からプリンタ本体１０の前方側（外方側）に向かって、斜め下向きに傾斜しながら張り出すように取り付けられている。スタッカ２０は、ロール紙カバー１４における張り出し部１６の下側に取り付けられた排出トレー３０（スタッカ本体）と、排出トレー３０の先端側から引き出し可能な延長トレー４０（スライド式スタッカ）を備えている。排出トレー３０の底面部３１（堆積部の一部）はロール紙カバー１４とほぼ同一幅であり、延長トレー４０は、底面部３１よりも幅の狭い長方形の板状のスライド部４１の一端に、スライド部４１（堆積部の一部）の板面と直角になるように板状のストッパ４２を接続した形状である。
【００１８】
排出トレー３０は、矩形の底面部３１における３辺からそれぞれ側面部３２，３３，３４を立ち上げて３方向を囲んでおり、残る１辺側の端面３１ａには開口が形成されていてこの開口にスライド部４１を挿入する構造になっている。底面部３１は、その内部にスライド空間およびスライド機構を備えており、スライド機構は、端面３１ａ側から挿入されたスライド部４１をガイドして底面部３１の板面と平行な方向にスライドさせる。延長トレー４０の作動方向は端面３１ａと垂直な方向すなわち排出トレー３０の長さ方向であり、その可動範囲は、例えば、スライド部４１が全て底面部３１内に収納されてストッパ４２が端面３１ａに突き当たった位置から、スライド部４１の先端部分を除く所定長さの部分が底面部３１外に現れた位置までとする。このような構成により、スタッカ２０の長さを延長トレー４０の引き出し長さ分だけ延長でき、スタッカ２０におけるストッパ４２の位置を調整できる。
【００１９】
排出トレー３０における側面部３３は両隣の側面部３２，３４よりも厚みをもって形成されており、その中央部分が逆Ｔ字状に上に延びていて、排出トレー３０を外装ケース１１に取り付けるための腕部３５となっている。腕部３５の先端における左右の側端部分はそれぞれ上部に突出しており、各突出部分から腕部３５の側方に向かって、それぞれ、ヒンジピン３５ａ，３５ｂが突き出ている。ヒンジピン３５ａ，３５ｂは、腕部３５内に設けられた板ばねなどの付勢部材によって腕部３５の側端面から突き出る方向に付勢されているが、その先端を押圧すると腕部３５内に引っ込む構造になっている。
【００２０】
張り出し部１６の下面部分に設けられたヒンジピン受け部にヒンジピン３５ａ，３５ｂを装着すると、排出トレー３０は、ヒンジピン３５ａ，３５ｂの中心軸を回転中心として回転自在になる。これにより、排出トレー３０は、側面部３３の下端がロール紙カバー１４に突き当たった姿勢でプリンタ本体１０に装着される。このとき、底面部３１は、端面３１ａ側を下にして斜めに傾いている。
【００２１】
スタッカ２０における排出トレー３０の上に落ちた記録用紙２は、傾斜面である底面部３１と、底面部３１の下端側から底面部３１と同一方向に延びているスライド部４１の上を滑り落ち、記録用紙２の先端がストッパ４２に突き当たったところで止まる。ストッパ４２は、スライド部４１の先端側において側面部３２〜３４と同一方向に立ち上がっており、張り出し部１６の先端から落下した記録用紙２は、側面部３２〜３４およびストッパ４２によって囲まれた領域内の先端側に堆積する。このとき、堆積した記録用紙２の後端位置は、ストッパ４２の位置すなわち延長トレー４０の引き出し長さと、記録用紙２の長さによって決まる。よって、記録用紙の長さが通常よりも長い場合は、延長トレー４０の引き出し長さを調整してストッパ４２の位置を調整することにより、排出トレー３０上における記録用紙２の後端位置を所望の位置に位置合わせすることができる。
【００２２】
排出トレー３０における底面部３１の中央部分には一定の深さの浅い凹部３６（補助ストッパ取付部）が形成されており、この凹部３６には、サポート板３７（補助ストッパ／旋回板）が着脱可能に取り付けられている。凹部３６は、底面部３１の上面における端面３１ａ付近から側面部３３付近まで延びている。より詳しく説明すると、端面３１ａ付近における凹部３６の幅は延長トレー４０の幅の半分程度であるが、側面部３３側に延びる途中に段差形状が設けられてそこから先は幅狭になっている。サポート板３７は、凹部３６における幅広の矩形部分に丁度嵌まる形状の矩形の板材である。サポート板３７における端面３１ａ側の端部は、ヒンジ部３７ａにより、凹部３６内の所定位置に取り付けられている。サポート板３７は、ヒンジ部３７ａにより、端面３１ａあるいはストッパ４２の面方向と平行、且つ、底面部３１の面方向と平行な回転軸まわりに回転可能に保持される。
【００２３】
サポート板３７は、凹部３６内に倒れた状態（第２状態）では、その表面が底面部３１の表面と面一になっているが、側面部３３側の端部を凹部３６から持ち上げることにより、底面部３１から起立した状態になる。ヒンジ部３７ａには回転規制部材が設けられており、サポート板３７の可動範囲は、サポート板３７が底面部３１から垂直に起立した位置までとなっているので、サポート板３７は、垂直に起立した状態（第１状態）で停止する。なお、サポート板３７を垂直に起立した位置でロックするロック機構などを設けてもよい。ヒンジ部３７ａは、サポート板３７の起立位置が、端面３１ａから所定の距離になるように位置設定されている。
【００２４】
排出トレー３０における底面部３１の上面は記録用紙２が堆積する堆積面であるが、この面には、凹部３６によって２分割された２本の位置合わせ溝３８（指標部）が一直線上に形成されている。位置合わせ溝３８は、排出トレー３０をプリンタ本体１０に装着した状態において記録用紙２の排出方向と直交する方向に延びており、底面部３１上における記録用紙２の先端の落下位置よりも排紙口１２寄りの位置、すなわち、上記落下位置よりも側面部３３寄りの位置に形成されている。ここで、記録用紙２の排出方向とは、排紙ガイド１３にガイドされて排紙口１２から出て行く記録用紙２の排出方向、すなわち、プリンタ本体１０の前方に向かって左右に曲がらずに、まっすぐ出て行く方向を示す。
【００２５】
作業者は、位置合わせ溝３８からストッパ４２または垂直に起立したサポート板３７までの長さが、切断される記録用紙２の長さとなるように、延長トレー４０またはサポート板３７の引き出し長さを設定する。また、記録用紙２に印刷された罫線などの目印に合わせたり、記録用紙２がラベル紙の場合、ラベルの位置に合わせることもできる。記録用紙２が紙送り方向に対して垂直に切断されて排出トレー３０に落下したとき、その後端２ａは、位置合わせ溝３８と重なるか、あるいは、平行になる。また、記録用紙２の先端が落下する落下位置は、記録用紙２が張り出し部１６の先端から斜めに滑り落ちることを考慮すれば、少なくとも張り出し部１６の先端の真下よりは排出方向前方側の位置になると想定される。落下位置は、落下時の記録用紙のたわみなどの種々の要因を考慮して想定することができるが、実際に記録用紙２を落下させてみて落下位置を確認し、位置合わせ溝３８の位置を設定してもよい。なお、本実施形態では位置合わせ溝３８が凹部３６により２本に分割されているが、凹部３６を小さくすることにより、連続した１本の位置合わせ溝３８を形成してもよい。
【００２６】
図３はスタッカ２０の内部構造を示す断面図（図２のＡ−Ａ断面図）であり、図４はロック機構の説明図（図３の領域Ｂの拡大図）である。図３に示すように、排出トレー３０には、延長トレー４０の引き出し長さを決定した後、決定位置において延長トレー４０が動かないようにロックするためのロック機構３９が設けられている。本実施形態におけるロック機構３９は、底面部３１の先端部分（端面３１ａ付近の部分）においてスライド部材４１の側端面に沿って設けられている。ロック機構３９は、スライド部材４１の側端面に設けられた歯部４３と噛み合う形状の係合部材３９ａと、係合部材３９ａを歯部４３と噛み合う位置に保持するための保持部材３９ｂを備えている。保持部材３９ｂはスライド部材４１の側端面に沿ってスライド可能であり、端面３１ａから引き出された位置に移動しているときは係合部材３９ａを係合位置に保持していないが（図４（ａ）参照）、端面３１ａ内に押し込まれた位置では係合部材３９ａを歯部４３と噛み合う位置に保持している（図４（ｂ）参照）。
【００２７】
保持部材３９ｂは、図２に図示されているようにスタッカ２０の外部から操作可能になっているので、ストッパ４２の位置調整を行うときは、まず、保持部材３９ｂを端面３１ａから引き出す方向に動かしてロックを解除する。そして、延長トレー４０の引き出し長さを変えてストッパ４２の位置を調整した後、再び保持部材３９ｂを端面３１ａ内に押し込む方向に動かして延長トレー４０をロックする。
【００２８】
（スタッカの調整例）
次に、スタッカ２０の上に落下する記録用紙２の寸法に合わせてストッパ４２の位置を調整し、記録用紙２の堆積位置を位置合わせした例について説明する。図５は、記録用紙２の長さが通常よりも長い場合（位置合わせ溝３８から端面３１ａまでの距離よりも長い場合）の記録用紙２の堆積位置の説明図である。本実施形態では、このような場合には、予め、排出される記録用紙２と同じ長さの記録用紙２をスタッカ２０に載せて記録用紙２の先端をストッパ４２に突き当て、記録用紙２の長さに応じて延長トレー４０を引き出してその後端２ａが位置合わせ溝３８と重なるように延長トレー４０の引き出し長さを決める。そして、ロック機構３９により延長トレー４０をロックする。
【００２９】
図６は、記録用紙２の長さが通常よりも短い場合（位置合わせ溝３８から端面３１ａまでの距離よりも短い場合）の記録用紙２の堆積位置の説明図である。本実施形態では、このような場合には、凹部内のサポート板３７を起こしてストッパとして機能するようにして、記録用紙２の先端がサポート板３７に突き当たって止まるようにする。これにより、排出トレー３０の先端である端面３１ａよりも後方側に記録用紙２を堆積させることができるので、記録用紙２の寸法が小さくても、記録用紙２の後端２ａが位置合わせ溝３８と重なるか、あるいは、少なくとも位置合わせ溝３８よりも側面部３３側になる位置に堆積させることができる。なお、サポート板３７を支持するヒンジ部３７ａを凹部３６内において可動にするなどの構成により、サポート板３７の立ち上がり位置を位置合わせ溝３８側あるいは端面３１ａ側にずらすことができるようにしてもよい。このようにすれば、記録用紙２の後端２ａが位置合わせ溝３８と重なるように位置決めすることができる。
【００３０】
延長トレー４０あるいはサポート板３７を用いて図５あるいは図６のようにスタッカ２０を調整すれば、排出された記録用紙２は、その後端２ａが位置合わせ溝３８と重なる位置、あるいは、少なくとも位置合わせ溝３８よりも側面部３３側にある位置に堆積する。ここで、図７に基づき、延長トレー４０を引き出してスタッカ２０における記録用紙２の堆積位置を調整した場合における、記録用紙２の堆積過程を説明する。
【００３１】
まず、図７（ａ）に示すように、スタッカ２０に何も堆積していない状態で記録用紙２を排紙口１２から排出し、張り出し部１６の先端からスタッカ２０の上へ落とすと、記録用紙２は、図７（ｂ）に示すように排出トレー３０を滑り落ちてその先端がストッパ４２に突き当たって止まる。そして、図７（ｃ）に示すように、次の記録用紙２を排出すると、図７（ｄ）に示すように、記録用紙２は、張り出し部１６の先端から落下する際に、その先端２ｂが、前に落下した記録用紙２の後端２ａよりも排出方向前方側に落ちる。すなわち、前に落下した記録用紙２の上に落ちる。これにより、図７（ｅ）に示すように、新たに落下した記録用紙２は前に落下した記録用紙２の上を滑って落下し、ストッパ４２に突き当たって止まる。よって、記録用紙２は、前に落下した記録用紙２の上にその排出順に堆積される。
【００３２】
（本実施形態の効果）
このように、本実施形態では、プリンタ本体１０の前面に設けた排紙口１２の下にスタッカ２０を取り付けると共にスタッカ２０における排出トレー３０および延長トレー４０を斜め下向きに傾けているので、排紙口１２から落下した記録用紙２は、自動的に排出トレー３０および延長トレー４０を滑り落ちて延長トレー４０の先端側に堆積する。よって、排紙口１２付近に紙を送り出すための駆動手段などを設ける必要がなく、部品点数削減およびコストダウンを図ることができる。
【００３３】
本実施形態では、スタッカ２０に、ストッパ４２を備えた延長トレー４０やサポート板３７を設け、更に、位置合わせ溝３８を設けており、スタッカ２０に堆積される記録用紙２の後端２ａの位置が、位置合わせ溝３８と重なるか、あるいは、少なくとも位置合わせ溝３８よりも側面部３３側になるようにストッパ４２の位置を調整したり、必要であればサポート板３７を起こしてストッパとして用いる。これにより、既に記録用紙２が堆積している状態のスタッカ２０に落下してきた記録用紙２の先端の落下位置は、確実に、前に堆積した記録用紙２の上になる。従って、後に落下した記録用紙２は、既に堆積している記録用紙２の後端に引っかかることがなく、既に堆積している記録用紙２の上をスムーズに滑り落ちてその上に重なる。よって、記録用紙２が排出順どおりに堆積される。また、記録用紙２の端部同士が引っかかったり記録用紙が折れ曲がったりするなどの堆積不良状態が発生しにくくなっている。
【００３４】
本実施形態では、延長トレー４０を所定長さだけ引き出した位置でロックするためのロック機構３９を備えているので、調整後に不用意にストッパ４２の位置が変わらないようになっている。よって、不用意に記録用紙２の堆積位置が変わりにくく、堆積不良状態が発生しにくくなっている。
【００３５】
（改変例）
（１）上記実施形態では、一直線上に２分割された位置合わせ溝３８を形成して位置合わせ用の指標としていたが、指標は、このような形状に限定されない。例えば、一直線上に並ぶ多数に分割された溝、リブ、突起などを形成してもよい。また、塗料などによって線を引いたり、あるいは、位置合わせ溝３８が形成されたラインを境界線として、底面部３１の表面仕上げや色を変えてもよい。また、位置合わせ溝３８のライン上に棒材やストッパなどを取り付け可能にしてもよい。
【００３６】
（２）上記実施形態では、凹部３６およびサポート板３７を排出トレー３０の底面部３１に形成していたが、延長トレー４０のスライド部４１に凹部３６およびサポート板３７を形成してもよい。この場合には、スライド部４１を底面部３１内に挿入してスライドさせる代わりに、底面部３１の表面にスライド部４１を露出させた状態でスライド可能にするとよい。このようにすれば、サポート板３７の起立位置を延長トレー４０の引き出し長さの調整によって調整できるので、サポート板３７の起立位置を連続的に変えることができる。
【００３７】
（３）上記実施形態では、板状の面材で底面部３１やスライド部４１を形成していたが、底面部３１やスライド部４１を、面材ではなく棒材やワイヤなどを屈曲させたフレームで構成してもよい。なお、フレームは、その上を記録用紙２が滑り落ちるような構成にするとよい。
【図面の簡単な説明】
【００３８】
【図１】本発明を適用したロール紙プリンタの斜視図である。
【図２】スタッカの斜視図である。
【図３】スタッカの断面図（図２のＡ−Ａ断面図）である。
【図４】ロック機構の説明図である。
【図５】記録用紙の堆積位置の説明図である。
【図６】記録用紙の堆積位置の説明図である。
【図７】記録用紙の堆積過程の説明図である。
【符号の説明】
【００３９】
１…ロール紙プリンタ、２…記録用紙、２ａ…後端、２ｂ…先端、１０…プリンタ本体（装置本体）、１１…外装ケース、１２…排紙口、１３…排紙ガイド、１４…ロール紙カバー（開閉部材）、１５…レバー、１６…張り出し部、２０…スタッカ、３０…排出トレー（スタッカ本体）、３１…底面部（堆積部の一部）、３１ａ…端面、３２，３３，３４…側面部、３５…腕部、３５ａ，３５ｂ…ヒンジピン、３６…凹部（補助ストッパ取付部）、３７…サポート板（補助ストッパ／旋回板）、３７ａ…ヒンジ部、３８…位置合わせ溝、３９…ロック機構、３９ａ…係合部材、３９ｂ…保持部材、４０…延長トレー（スライド式スタッカ）、４１…スライド部（堆積部の一部）、４２…ストッパ、４３…歯部
【図１】
2009190801.tif 000003
【図２】
2009190801.tif 000004
【図３】
2009190801.tif 000005
【図４】
2009190801.tif 000006
【図５】
2009190801.tif 000007
【図６】
2009190801.tif 000008
【図７】
2009190801.tif 000009